(57)【特許請求の範囲】
【請求項１】
第１デバイスによって、第１スクランブルコードシーケンスに従って、アンライセンスキャリア上の第１時間リソース上で保持されている第１データをスクランブルする段階であって、前記第１データは、前記第１デバイスによって第２デバイスに送信されるデータであり、前記第１スクランブルコードシーケンスは、ライセンスキャリア上の第２時間リソースのシーケンスナンバーに従って、生成される、段階と、
前記第１デバイスによって、スクランブルされた第１データを第２デバイスに送信する段階と
を備える
情報送信方法。
【請求項２】
前記第２時間リソースの時間ドメインリソースは、前記第１時間リソースの時間ドメインリソースを含む、請求項１に記載の情報送信方法。
【請求項３】
前記第２時間リソースの前記時間ドメインリソースは、前記第１時間リソースの前記時間ドメインリソースと同じである、請求項２に記載の情報送信方法。
【請求項４】
前記第１時間リソースは、第１サブフレームであり、前記第１サブフレームは、Ｎ個の直交周波数分割多重方式（ＯＦＤＭ）シンボルを含み、前記Ｎ個のＯＦＤＭシンボルは、１つの完全なサブフレームに含まれるＭ個のＯＦＤＭシンボルのうち最初のＮ個のＯＦＤＭシンボルであり、Ｍ及びＮは正の整数であり、かつ、Ｍ≧Ｎである、
請求項１から３の何れか一項に記載の情報送信方法。
【請求項５】
前記第１時間リソースは、第１タイムスロットであり、前記第１タイムスロットは、第１サブフレームに属し、前記第１サブフレームは、Ｎ個のＯＦＤＭシンボルを含み、ＮがＭ／２より大きい場合、前記第１タイムスロットは、前記Ｎ個のＯＦＤＭシンボルのうち最初のＮ−Ｍ／２個のＯＦＤＭシンボルを含み、Ｍは１つの完全なサブフレームに含まれるＯＦＤＭシンボルの数であり、Ｍ及びＮは正の整数であり、かつ、Ｍ≧Ｎである、
請求項１から３の何れか一項に記載の情報送信方法。
【請求項６】
前記第１時間リソースは、フレーム、サブフレーム、又はタイムスロットであり、
前記第２時間リソースは、フレーム、サブフレーム、又はタイムスロットである、請求項１から５の何れか一項に記載の情報送信方法。
【請求項７】
第１デバイスによって送信された、スクランブルされた第１データを第２デバイスによって受信する段階と、
前記第２デバイスによって、第１スクランブルコードシーケンスに従って、前記第１データをデスクランブルする段階と
を備える情報送信方法であって、
前記第１データは、アンライセンスキャリア上の第１時間リソース上で保持されているものであり、前記第１スクランブルコードシーケンスは、ライセンスキャリア上の第２時間リソースのシーケンスナンバーに従って、生成される、
情報送信方法。
【請求項８】
前記第２時間リソースの時間ドメインリソースは、前記第１時間リソースの時間ドメインリソースを含む、請求項７に記載の情報送信方法。
【請求項９】
前記第２時間リソースの前記時間ドメインリソースは、前記第１時間リソースの前記時間ドメインリソースと同じである、請求項８に記載の情報送信方法。
【請求項１０】
前記第１時間リソースは、第１サブフレームであり、前記第１サブフレームは、Ｎ個の直交周波数分割多重方式（ＯＦＤＭ）シンボルを含み、前記Ｎ個のＯＦＤＭシンボルは、１つの完全なサブフレームに含まれるＭ個のＯＦＤＭシンボルのうち最初のＮ個のＯＦＤＭシンボルであり、Ｍ及びＮは正の整数であり、かつ、Ｍ≧Ｎである、
請求項７から９の何れか一項に記載の情報送信方法。
【請求項１１】
前記第１時間リソースは、第１タイムスロットであり、前記第１タイムスロットは、第１サブフレームに属し、前記第１サブフレームは、Ｎ個のＯＦＤＭシンボルを含み、ＮがＭ／２より大きい場合、前記第１タイムスロットは、前記Ｎ個のＯＦＤＭシンボルのうち最初のＮ−Ｍ／２個のＯＦＤＭシンボルを含み、Ｍは１つの完全なサブフレームに含まれるＯＦＤＭシンボルの数であり、Ｍ及びＮは正の整数であり、かつ、Ｍ≧Ｎである、
請求項７から９の何れか一項に記載の情報送信方法。
【請求項１２】
前記第１時間リソースは、フレーム、サブフレーム、又はタイムスロットであり、
前記第２時間リソースは、フレーム、サブフレーム、又はタイムスロットである、請求項７から１１の何れか一項に記載の情報送信方法。
【請求項１３】
第１デバイスであって、
第１スクランブルコードシーケンスに従って、アンライセンスキャリア上の第１時間リソース上で保持されている第１データをスクランブルするスクランブル部であって、前記第１データは、前記第１デバイスによって第２デバイスに送信されるデータであり、前記第１スクランブルコードシーケンスは、ライセンスキャリア上の第２時間リソースのシーケンスナンバーに従って、生成される、スクランブル部と、
前記スクランブル部によってスクランブルされた第１データを、前記第２デバイスに送信する送信部と
を備える
第１デバイス。
【請求項１４】
前記第２時間リソースの時間ドメインリソースは、前記第１時間リソースの時間ドメインリソースを含む、請求項１３に記載の第１デバイス。
【請求項１５】
前記第２時間リソースの前記時間ドメインリソースは、前記第１時間リソースの前記時間ドメインリソースと同じである、請求項１４に記載の第１デバイス。
【請求項１６】
前記第１時間リソースは、第１サブフレームであり、前記第１サブフレームは、Ｎ個の直交周波数分割多重方式（ＯＦＤＭ）シンボルを含み、前記Ｎ個のＯＦＤＭシンボルは、１つの完全なサブフレームに含まれるＭ個のＯＦＤＭシンボルのうち最初のＮ個のＯＦＤＭシンボルであり、Ｍ及びＮは正の整数であり、かつ、Ｍ≧Ｎである、
請求項１３から１５の何れか一項に記載の第１デバイス。
【請求項１７】
前記第１時間リソースは、第１タイムスロットであり、前記第１タイムスロットは、第１サブフレームに属し、前記第１サブフレームは、Ｎ個のＯＦＤＭシンボルを含み、ＮがＭ／２より大きい場合、前記第１タイムスロットは、前記Ｎ個のＯＦＤＭシンボルのうち最初のＮ−Ｍ／２個のＯＦＤＭシンボルを含み、Ｍは１つの完全なサブフレームに含まれるＯＦＤＭシンボルの数であり、Ｍ及びＮは正の整数であり、かつ、Ｍ≧Ｎである、
請求項１３から１５の何れか一項に記載の第１デバイス。
【請求項１８】
第２デバイスであって、
第１デバイスによって送信された、スクランブルされた第１データを受信する受信部と、
第１スクランブルコードシーケンスに従って、前記受信部によって受信された前記第１データをデスクランブルするデスクランブル部と
を備え、
前記第１データは、アンライセンスキャリア上の第１時間リソース上で保持されているものであり、前記第１スクランブルコードシーケンスは、ライセンスキャリア上の第２時間リソースのシーケンスナンバーに従って、生成される、
第２デバイス。
【請求項１９】
前記第２時間リソースの時間ドメインリソースは、前記第１時間リソースの時間ドメインリソースを含む、請求項１８に記載の第２デバイス。
【請求項２０】
前記第２時間リソースの前記時間ドメインリソースは、前記第１時間リソースの前記時間ドメインリソースと同じである、請求項１９に記載の第２デバイス。
【請求項２１】
前記第１時間リソースは、第１サブフレームであり、前記第１サブフレームは、Ｎ個の直交周波数分割多重方式（ＯＦＤＭ）シンボルを含み、前記Ｎ個のＯＦＤＭシンボルは、１つの完全なサブフレームに含まれるＭ個のＯＦＤＭシンボルのうち最初のＮ個のＯＦＤＭシンボルであり、Ｍ及びＮは正の整数であり、かつ、Ｍ≧Ｎである、
請求項１８から２０の何れか一項に記載の第２デバイス。
【請求項２２】
前記第１時間リソースは、第１タイムスロットであり、前記第１タイムスロットは、第１サブフレームに属し、前記第１サブフレームは、Ｎ個のＯＦＤＭシンボルを含み、ＮがＭ／２より大きい場合、前記第１タイムスロットは、前記Ｎ個のＯＦＤＭシンボルのうち最初のＮ−Ｍ／２個のＯＦＤＭシンボルを含み、Ｍは１つの完全なサブフレームに含まれるＯＦＤＭシンボルの数であり、Ｍ及びＮは正の整数であり、かつ、Ｍ≧Ｎである、
請求項１８から２０の何れか一項に記載の第２デバイス。
【請求項２３】
プロセッサと、メモリと、バスと、送信機とを備える第１デバイスであって、
前記プロセッサ、前記メモリ、及び前記送信機は、前記バスを用いることによって、相互接続され、
前記プロセッサは、第１スクランブルコードシーケンスに従って、アンライセンスキャリア上の第１時間リソース上で保持されている第１データをスクランブルし、前記第１データは、前記第１デバイスによって第２デバイスに送信されるデータであり、前記第１スクランブルコードシーケンスは、ライセンスキャリア上の第２時間リソースのシーケンスナンバーに従って、生成され、
前記送信機は、前記プロセッサによってスクランブルされた第１データを前記第２デバイスに送信する、
第１デバイス。
【請求項２４】
前記第２時間リソースの時間ドメインリソースは、前記第１時間リソースの時間ドメインリソースを含む、請求項２３に記載の第１デバイス。
【請求項２５】
前記第２時間リソースの前記時間ドメインリソースは、前記第１時間リソースの前記時間ドメインリソースと同じである、請求項２４に記載の第１デバイス。
【請求項２６】
前記第１時間リソースは、第１サブフレームであり、前記第１サブフレームは、Ｎ個の直交周波数分割多重方式（ＯＦＤＭ）シンボルを含み、前記Ｎ個のＯＦＤＭシンボルは、１つの完全なサブフレームに含まれるＭ個のＯＦＤＭシンボルのうち最初のＮ個のＯＦＤＭシンボルであり、Ｍ及びＮは正の整数であり、かつ、Ｍ≧Ｎである、
請求項２３から２５の何れか一項に記載の第１デバイス。
【請求項２７】
前記第１時間リソースは、第１タイムスロットであり、前記第１タイムスロットは、第１サブフレームに属し、前記第１サブフレームは、Ｎ個のＯＦＤＭシンボルを含み、ＮがＭ／２より大きい場合、前記第１タイムスロットは、前記Ｎ個のＯＦＤＭシンボルのうち最初のＮ−Ｍ／２個のＯＦＤＭシンボルを含み、Ｍは１つの完全なサブフレームに含まれるＯＦＤＭシンボルの数であり、Ｍ及びＮは正の整数であり、かつ、Ｍ≧Ｎである、
請求項２３から２５の何れか一項に記載の第１デバイス。
【請求項２８】
プロセッサと、メモリと、バスと、受信機とを備える第２デバイスであって、
前記プロセッサ、前記メモリ、及び前記受信機は、前記バスを用いることによって、相互接続され、
前記受信機は、第１デバイスによって送信された、スクランブルされた第１データを受信し、
前記プロセッサは、第１スクランブルコードシーケンスに従って、前記受信機によって受信された前記第１データをデスクランブルし、前記第１データは、アンライセンスキャリア上の第１時間リソース上で保持されているものであり、前記第１スクランブルコードシーケンスは、ライセンスキャリア上の第２時間リソースのシーケンスナンバーに従って、生成される、
第２デバイス。
【請求項２９】
前記第２時間リソースの時間ドメインリソースは、前記第１時間リソースの時間ドメインリソースを含む、請求項２８に記載の第２デバイス。
【請求項３０】
前記第２時間リソースの前記時間ドメインリソースは、前記第１時間リソースの前記時間ドメインリソースと同じである、請求項２９に記載の第２デバイス。
【請求項３１】
前記第１時間リソースは、第１サブフレームであり、前記第１サブフレームは、Ｎ個の直交周波数分割多重方式（ＯＦＤＭ）シンボルを含み、前記Ｎ個のＯＦＤＭシンボルは、１つの完全なサブフレームに含まれるＭ個のＯＦＤＭシンボルのうち最初のＮ個のＯＦＤＭシンボルであり、Ｍ及びＮは正の整数であり、かつ、Ｍ≧Ｎである、
請求項２８から３０の何れか一項に記載の第２デバイス。
【請求項３２】
前記第１時間リソースは、第１タイムスロットであり、前記第１タイムスロットは、第１サブフレームに属し、前記第１サブフレームは、Ｎ個のＯＦＤＭシンボルを含み、ＮがＭ／２より大きい場合、前記第１タイムスロットは、前記Ｎ個のＯＦＤＭシンボルのうち最初のＮ−Ｍ／２個のＯＦＤＭシンボルを含み、Ｍは１つの完全なサブフレームに含まれるＯＦＤＭシンボルの数であり、Ｍ及びＮは正の整数であり、かつ、Ｍ≧Ｎである、
請求項２８から３０の何れか一項に記載の第２デバイス。
【請求項３３】
第１デバイスと、第２デバイスとを備える無線通信システムであって、
前記第１デバイスは、請求項１３から１７の何れか一項に記載の第１デバイスであり、前記第２デバイスは、請求項１８から２２の何れか一項に記載の第２デバイスであり、又は、
前記第１デバイスは、請求項２３から２７の何れか一項に記載の第１デバイスであり、前記第２デバイスは、請求項２８から３２の何れか一項に記載の第２デバイスである、
無線通信システム。
【請求項３４】
記録されたプログラムを有するコンピュータ可読記憶媒体であって、前記プログラムは、コンピュータに請求項１から１２の何れか一項に記載の情報送信方法を実行させる、コンピュータ可読記憶媒体。
【請求項３５】
コンピュータに請求項１から１２の何れか一項に記載の情報送信方法を実行させるプログラム。
【発明の詳細な説明】
【技術分野】
【０００１】
本発明は、通信分野に関し、特に、情報送信方法、デバイス、及びシステムに関する。
【背景技術】
【０００２】
無線通信システムにおいて、情報が送信される前に、通常、スクランブルシーケンスを用いて情報をスクランブルする。スクランブルシーケンスは、送信された情報に含まれるタイムスロットの、タイムスロットシーケンスナンバー（Ｓｌｏｔ  Ｎｕｍｂｅｒ）などのパラメータに従って、生成される。概して、情報は、データフレームを単位として用いることによって、送信される。１つのデータフレームは、１０のサブフレームを含み、１つのサブフレームは、２つのタイムスロットを含む。従って、１つのデータフレームには合計２０のタイムスロットがある。送信側がタイムスロットにおいてデータを送信し、そのタイムスロットのタイムスロットシーケンスナンバーに従って生成されたスクランブルコードシーケンスは、情報をスクランブルするために用いられる。
【０００３】
情報が送信されるとき、データがライセンスキャリア上で送信される場合、ライセンスキャリアが専用のものなので、送信されるデータフレームが連続的なもので、タイムスロットシーケンスナンバーも連続的なものであり、データがアンライセンスキャリア上で送信される場合、アンライセンスキャリアが公衆用のものなので、使用するためにアンライセンスキャリアを占有する必要があり、アンライセンスキャリアを占有する時点がランダムである。従って、アンライセンスキャリア上でデータフレームを送信するための送信時点がランダムで、かつ、非連続的であり、データを送信するためのタイムスロットがランダムである。すなわち、タイムスロットシーケンスナンバーもランダムであり、特定のタイムスロット上で保持されている情報のスクランブルシーケンスもランダムであり、これにより、受信側は、情報をデスクランブルすることができない。
【発明の概要】
【０００４】
本発明の実施形態は、情報送信方法、デバイス、及びシステムを提供し、これにより、アンライセンススペクトルを占有してデータを送信するとき、受信側は、正確なシーケンスナンバーを取得できず、情報をデスクランブルすることができないといった従来技術の問題を解決する。
【０００５】
前述の目的を達成するために、以下の技術的解決手段が、本発明の実施形態において用いられる。
【０００６】
第１の態様によれば、情報送信方法が提供され、方法は、第１デバイスによって、第１スクランブルコードシーケンスに従って、アンライセンスキャリア上の第１時間リソース上で保持されている第１データをスクランブルする段階であって、第１データは、第１デバイスによって第２デバイスに送信されるデータであり、第１スクランブルコードシーケンスは、ライセンスキャリア上の第２時間リソースのシーケンスナンバー、又は第１値に従って、生成される、段階と、第１デバイスによって、スクランブルされた第１データを第２デバイスに送信する段階とを備える。
【０００７】
第１の態様に関連して、第１の態様の第１の可能な実施例において、第２時間リソースの時間ドメインリソースは、第１時間リソースの時間ドメインリソースを含む。
【０００８】
第１の態様の第１の可能な実施例に関連して、第１の態様の第２の可能な実施例において、第２時間リソースの時間ドメインリソースは、第１時間リソースの時間ドメインリソースと同じである。
【０００９】
第１の態様に関連して、第１の態様の第３の可能な実施例において、第１値は、予め設定した値、第１デバイスによって決定された値、又は第三者によって決定された値である。
【００１０】
第１の態様の第３の可能な実施例に関連して、第１の態様の第４の可能な実施例において、第１値は、第１デバイスによって決定された値であり、方法は、第１デバイスによって、第１値を第２デバイスに送信する段階をさらに備える。
【００１１】
第１の態様から第１の態様の第４の可能な実施例の何れか１つに関連して、第１の態様の第５の可能な実施例において、第１時間リソースは、フレーム、サブフレーム、又はタイムスロットであり、第２時間リソースは、フレーム、サブフレーム、又はタイムスロットである。
【００１２】
第１の態様から第１の態様の第５の可能な実施例の何れか１つに関連して、第１の態様の第６の可能な実施例において、第１時間リソースは、第１サブフレームであり、第１サブフレームは、Ｎ個の直交周波数分割多重方式（ＯＦＤＭ）シンボルを含み、Ｎ個のＯＦＤＭシンボルは、１つの完全なサブフレームに含まれるＭ個のＯＦＤＭシンボルのうち最初のＮ個のＯＦＤＭシンボルであり、Ｍ及びＮは正の整数であり、かつ、Ｍ≧Ｎである。
【００１３】
第１の態様から第１の態様の第５の可能な実施例の何れか１つに関連して、第１の態様の第７の可能な実施例において、第１時間リソースは、第１タイムスロットであり、第１タイムスロットは、第１サブフレームに属し、第１サブフレームは、Ｎ個のＯＦＤＭシンボルを含み、ＮがＭ／２より大きい場合、第１タイムスロットは、Ｎ個のＯＦＤＭシンボルのうち最初のＮ−Ｍ／２個のＯＦＤＭシンボルを含み、Ｍは１つの完全なサブフレームに含まれるＯＦＤＭシンボルの数であり、Ｍ及びＮは正の整数であり、かつ、Ｍ≧Ｎである。
【００１４】
第２の態様によれば、情報送信方法が提供され、方法は、第１デバイスによって送信された、スクランブルされた第１データを第２デバイスによって受信する段階と、第２デバイスによって、第１スクランブルコードシーケンスに従って、第１データをデスクランブルする段階であって、第１データはアンライセンスキャリア上の第１時間リソース上で保持されているものであり、第１スクランブルコードシーケンスは、ライセンスキャリア上の第２時間リソースのシーケンスナンバー、又は第１値に従って、生成される、段階とを備える。
【００１５】
第２の態様に関連して、第２の態様の第１の可能な実施例において、第２時間リソースの時間ドメインリソースは、第１時間リソースの時間ドメインリソースを含む。
【００１６】
第２の態様の第１の可能な実施例に関連して、第２の態様の第２の可能な実施例において、第２時間リソースの時間ドメインリソースは、第１時間リソースの時間ドメインリソースと同じである。
【００１７】
第２の態様に関連して、第２の態様の第３の可能な実施例において、第１値は、予め設定した値、第１デバイスによって決定された値、又は第三者によって決定された値である。
【００１８】
第２の態様の第３の可能な実施例に関連して、第２の態様の第４の可能な実施例において、第１値は、第１デバイスによって決定された値であり、方法は、第１デバイスによって送信された第１値を第２デバイスによって受信する段階をさらに備える。
【００１９】
第２の態様から第２の態様の第４の可能な実施例の何れか１つに関連して、第２の態様の第５の可能な実施例において、第１時間リソースは、フレーム、サブフレーム、又はタイムスロットであり、第２時間リソースは、フレーム、サブフレーム、又はタイムスロットである。
【００２０】
第２の態様から第２の態様の第５の可能な実施例の何れか１つに関連して、第２の態様の第６の可能な実施例において、第１時間リソースは、第１サブフレームであり、第１サブフレームは、Ｎ個の直交周波数分割多重方式（ＯＦＤＭ）シンボルを含み、Ｎ個のＯＦＤＭシンボルは１つの完全なサブフレームに含まれるＭ個のＯＦＤＭシンボルのうち最初のＮ個のＯＦＤＭシンボルであり、Ｍ及びＮは正の整数であり、かつ、Ｍ≧Ｎである。
【００２１】
第２の態様から第２の態様の第５の可能な実施例の何れか１つに関連して、第２の態様の第７の可能な実施例において、第１時間リソースは、第１タイムスロットであり、第１タイムスロットは、第１サブフレームに属し、第１サブフレームは、Ｎ個のＯＦＤＭシンボルを含み、ＮがＭ／２より大きい場合、第１タイムスロットは、Ｎ個のＯＦＤＭシンボルのうち最初のＮ−Ｍ／２個のＯＦＤＭシンボルを含み、Ｍは１つの完全なサブフレームに含まれるＯＦＤＭシンボルの数であり、Ｍ及びＮは正の整数であり、かつ、Ｍ≧Ｎである。
【００２２】
第３の態様によれば、第１デバイスが提供され、第１スクランブルコードシーケンスに従って、アンライセンスキャリア上の第１時間リソース上で保持されている第１データをスクランブルするよう構成されるスクランブル部であって、第１データは、第１デバイスによって第２デバイスに送信されるデータであり、第１スクランブルコードシーケンスは、ライセンスキャリア上の第２時間リソースのシーケンスナンバー、又は第１値に従って、生成される、スクランブル部と、スクランブル部によってスクランブルされた第１データを第２デバイスに送信するよう構成される送信部とを備える。
【００２３】
第３の態様に関連して、第３の態様の第１の可能な実施例において、第２時間リソースの時間ドメインリソースは、第１時間リソースの時間ドメインリソースを含む。
【００２４】
第３の態様の第１の可能な実施例に関連して、第３の態様の第２の可能な実施例において、第２時間リソースの時間ドメインリソースは、第１時間リソースの時間ドメインリソースと同じである。
【００２５】
第３の態様に関連して、第３の態様の第３の可能な実施例において、第１値は、予め設定した値、第１デバイスによって決定された値、又は第三者によって決定された値である。
【００２６】
第３の態様の第３の可能な実施例に関連して、第３の態様の第４の可能な実施例において、第１値は、第１デバイスによって決定された値であり、送信部は、第１値を第２デバイスに送信するようさらに構成される。
【００２７】
第３の態様から第３の態様の第４の可能な実施例の何れか１つに関連して、第３の態様の第５の可能な実施例において、第１時間リソースは、フレーム、サブフレーム、又はタイムスロットであり、第２時間リソースは、フレーム、サブフレーム、又はタイムスロットである。
【００２８】
第３の態様から第３の態様の第５の可能な実施例の何れか１つに関連して、第３の態様の第６の可能な実施例において、第１時間リソースは、第１サブフレームであり、第１サブフレームは、Ｎ個の直交周波数分割多重方式（ＯＦＤＭ）シンボルを含み、Ｎ個のＯＦＤＭシンボルは、１つの完全なサブフレームに含まれるＭ個のＯＦＤＭシンボルのうち最初のＮ個のＯＦＤＭシンボルであり、Ｍ及びＮは正の整数であり、かつ、Ｍ≧Ｎである。
【００２９】
第３の態様から第３の態様の第５の可能な実施例の何れか１つに関連して、第３の態様の第７の可能な実施例において、第１時間リソースは、第１タイムスロットであり、第１タイムスロットは第１サブフレームに属し、第１サブフレームは、Ｎ個のＯＦＤＭシンボルを含み、ＮがＭ／２より大きい場合、第１タイムスロットは、Ｎ個のＯＦＤＭシンボルのうち最初のＮ−Ｍ／２個のＯＦＤＭシンボルを含み、Ｍは１つの完全なサブフレームに含まれるＯＦＤＭシンボルの数であり、Ｍ及びＮは正の整数であり、かつ、Ｍ≧Ｎである。
【００３０】
第４の態様によれば、第２デバイスが提供され、該デバイスは、第１デバイスによって送信された、スクランブルされた第１データを受信するよう構成される受信部と、第１スクランブルコードシーケンスに従って、受信部によって受信された第１データをデスクランブルするよう構成されるデスクランブル部とを備え、第１データは、アンライセンスキャリア上の第１時間リソース上で保持されているものであり、第１スクランブルコードシーケンスは、ライセンスキャリア上の第２時間リソースのシーケンスナンバー、又は第１値に従って、生成される。
【００３１】
第４の態様に関連して、第４の態様の第１の可能な実施例において、第２時間リソースの時間ドメインリソースは、第１時間リソースの時間ドメインリソースを含む。
【００３２】
第４の態様の第１の可能な実施例に関連して、第４の態様の第２の可能な実施例において、第２時間リソースの時間ドメインリソースは、第１時間リソースの時間ドメインリソースと同じである。
【００３３】
第４の態様に関連して、第４の態様の第３の可能な実施例において、第１値は、予め設定した値、第１デバイスによって決定された値、又は第三者によって決定された値である。
【００３４】
第４の態様の第３の可能な実施例に関連して、第４の態様の第４の可能な実施例において、第１値は、第１デバイスによって決定された値であり、受信部は、第１デバイスによって送信された第１値を受信するようさらに構成される。
【００３５】
第４の態様から第４の態様の第４の可能な実施例の何れか１つに関連して、第４の態様の第５の可能な実施例において、第１時間リソースは、フレーム、サブフレーム、又はタイムスロットであり、第２時間リソースは、フレーム、サブフレーム、又はタイムスロットである。
【００３６】
第４の態様から第４の態様の第５の可能な実施例の何れか１つに関連して、第４の態様の第６の可能な実施例において、第１時間リソースは、第１サブフレームであり、第１サブフレームは、Ｎ個の直交周波数分割多重方式（ＯＦＤＭ）シンボルを含み、Ｎ個のＯＦＤＭシンボルは、１つの完全なサブフレームに含まれるＭ個のＯＦＤＭシンボルのうち最初のＮ個のＯＦＤＭシンボルであり、Ｍ及びＮは正の整数であり、かつ、Ｍ≧Ｎである。
【００３７】
第４の態様から第４の態様の第５の可能な実施例の何れか１つに関連して、第４の態様の第７の可能な実施例において、第１時間リソースは第１タイムスロットであり、第１タイムスロットは、第１サブフレームに属し、第１サブフレームは、Ｎ個のＯＦＤＭシンボルを含み、ＮがＭ／２より大きい場合、第１タイムスロットは、Ｎ個のＯＦＤＭシンボルのうち最初のＮ−Ｍ／２個のＯＦＤＭシンボルを含み、Ｍは１つの完全なサブフレームに含まれるＯＦＤＭシンボルの数であり、Ｍ及びＮは正の整数であり、かつ、Ｍ≧Ｎである。
【００３８】
第５の態様によれば、第１デバイスが提供され、該デバイスは、プロセッサ、メモリ、バス、及び送信機を備え、プロセッサ、メモリ、及び送信機は、バスを用いることによって相互接続され、プロセッサは、第１スクランブルコードシーケンスに従って、アンライセンスキャリア上の第１時間リソース上で保持されている第１データをスクランブルするよう構成され、第１データは、第１デバイスによって第２デバイスに送信されるデータであり、第１スクランブルコードシーケンスは、ライセンスキャリア上第２時間リソースのシーケンスナンバー、又は第１値に従って、生成され、送信機は、プロセッサによってスクランブルされた第１データを第２デバイスに送信するよう構成される。
【００３９】
第５の態様に関連して、第５の態様の第１の可能な実施例において、第２時間リソースの時間ドメインリソースは、第１時間リソースの時間ドメインリソースを含む。
【００４０】
第５の態様の第１の可能な実施例に関連して、第５の態様の第２の可能な実施例において、第２時間リソースの時間ドメインリソースは、第１時間リソースの時間ドメインリソースと同じである。
【００４１】
第５の態様に関連して、第５の態様の第３の可能な実施例において、第１値は、予め設定した値、第１デバイスによって決定された値、又は第三者によって決定された値である。
【００４２】
第５の態様の第３の可能な実施例に関連して、第５の態様の第４の可能な実施例において、第１値は、第１デバイスによって決定された値であり、送信機は、第１値を第２デバイスに送信するようさらに構成される。
【００４３】
第５の態様から第５の態様の第４の可能な実施例の何れか１つに関連して、第５の態様の第５の可能な実施例において、第１時間リソースは、フレーム、サブフレーム、又はタイムスロットであり、第２時間リソースは、フレーム、サブフレーム、又はタイムスロットである。
【００４４】
第５の態様から第５の態様の第５の可能な実施例の何れか１つに関連して、第５の態様の第６の可能な実施例において、第１時間リソースは、第１サブフレームであり、第１サブフレームは、Ｎ個の直交周波数分割多重方式（ＯＦＤＭ）シンボルを含み、Ｎ個のＯＦＤＭシンボルは、１つの完全なサブフレームに含まれるＭ個のＯＦＤＭシンボルのうち最初のＮ個のＯＦＤＭシンボルを含み、Ｍ及びＮは正の整数であり、かつ、Ｍ≧Ｎである。
【００４５】
第５の態様から第５の態様の第５の可能な実施例の何れか１つに関連して、第５の態様の第７の可能な実施例において、第１時間リソースは、第１タイムスロットであり、第１タイムスロットは、第１サブフレームに属し、第１サブフレームは、Ｎ個のＯＦＤＭシンボルを含み、ＮがＭ／２より大きい場合、第１タイムスロットは、Ｎ個のＯＦＤＭシンボルのうち最初のＮ−Ｍ／２個のＯＦＤＭシンボルを含み、Ｍは１つの完全なサブフレームに含まれるＯＦＤＭシンボルの数であり、Ｍ及びＮは正の整数であり、かつ、Ｍ≧Ｎである。
【００４６】
第６の態様によれば、第２デバイスが提供され、該デバイスは、プロセッサ、メモリ、バス、及び受信機を備え、プロセッサ、メモリ、及び受信機は、バスを用いることによって、相互接続され、受信機は、第１デバイスによって送信された、スクランブルされた第１データを受信するよう構成され、プロセッサは、第１スクランブルコードシーケンスに従って、受信機によって受信された第１データをデスクランブルするよう構成され、第１データは、アンライセンスキャリア上の第１時間リソース上で保持されているものであり、第１スクランブルコードシーケンスは、ライセンスキャリア上の第２時間リソースのシーケンスナンバー、又は第１値に従って、生成される。
【００４７】
第６の態様に関連して、第６の態様の第１の可能な実施例において、第２時間リソースの時間ドメインリソースは、第１時間リソースの時間ドメインリソースを含む。
【００４８】
第６の態様の第１の可能な実施例に関連して、第６の態様の第２の可能な実施例において、第２時間リソースの時間ドメインリソースは、第１時間リソースの時間ドメインリソースと同じである。
【００４９】
第６の態様に関連して、第６の態様の第３の可能な実施例において、第１値は、予め設定した値、第１デバイスによって決定された値、又は第三者によって決定された値である。
【００５０】
第６の態様の第３の可能な実施例に関連して、第６の態様の第４の可能な実施例において、第１値は、第１デバイスによって決定された値であり、受信機は、第１デバイスによって送信された第１値を受信するようさらに構成される。
【００５１】
第６の態様から第６の態様の第４の可能な実施例の何れか１つに関連して、第６の態様の第５の可能な実施例において、第１時間リソースは、フレーム、サブフレーム、又はタイムスロットであり、第２時間リソースは、フレーム、サブフレーム、又はタイムスロットである。
【００５２】
第６の態様から第６の態様の第５の可能な実施例の何れか１つに関連して、第６の態様の第６の可能な実施例において、第１時間リソースは、第１サブフレームであり、第１サブフレームは、Ｎ個の直交周波数分割多重方式（ＯＦＤＭ）シンボルを含み、Ｎ個のＯＦＤＭシンボルは、１つの完全なサブフレームに含まれるＭ個のＯＦＤＭシンボルのうち最初のＮ個のＯＦＤＭシンボルであり、Ｍ及びＮは正の整数であり、かつ、Ｍ≧Ｎである。
【００５３】
第６の態様から第６の態様の第５の可能な実施例の何れか１つに関連して、第６の態様の第７の可能な実施例において、第１時間リソースは、第１タイムスロットであり、第１タイムスロットは、第１サブフレームに属し、第１サブフレームは、Ｎ個のＯＦＤＭシンボルを含み、ＮがＭ／２より大きい場合、第１タイムスロットは、Ｎ個のＯＦＤＭシンボルのうち最初のＮ−Ｍ／２個のＯＦＤＭシンボルを含み、Ｍは１つの完全なサブフレームに含まれるＯＦＤＭシンボルの数であり、Ｍ及びＮは正の整数であり、かつ、Ｍ≧Ｎである。
【００５４】
第７の態様によれば、無線通信システムが提供され、該システムは、第１デバイス及び第２デバイスを備え、第１デバイスは、第３の態様又は第３の態様の複数の可能な実施例のうち何れか１つに係る第１デバイスであり、第２デバイスは、第４の態様又は第４の態様の複数の可能な実施例のうち何れか１つに係る第２デバイスであり、又は、第１デバイスは、第５の態様又は第５の態様の複数の可能な実施例のうち何れか１つに係る第１デバイスであり、第２デバイスは、第６の態様又は第６の態様の複数の可能な実施例のうち何れか１つに係る第２デバイスである。
【００５５】
本発明の実施形態に提供される情報送信方法、デバイス、及びシステムにおいて、第１デバイスは、第１スクランブルコードシーケンスに従って、アンライセンスキャリア上の第１時間リソース上で保持されている第１データをスクランブルし、第１データは、第１デバイスによって第２デバイスに送信されるデータであり、第１スクランブルコードシーケンスは、ライセンスキャリア上の第２時間リソースのシーケンスナンバー、又は第１値に従って、生成され、第１デバイスは、スクランブルされた第１データを第２デバイスに送信する。従って、アンライセンススペクトルを占有してデータを送信するとき、受信側は正確なシーケンスナンバーを取得できず、情報をデスクランブルすることができないといった従来技術の問題が解決される。
【図面の簡単な説明】
【００５６】
本発明の実施形態における、又は従来技術における技術的解決手段をより明確に説明するために、以下では、実施形態を説明するために必要とされる添付図面を簡潔に説明する。明らかに、以下の説明における添付図面は単に本発明のいくつかの実施形態を示しており、当業者であれば、創造的努力なく、これらの添付図面から他の図面をさらに導き出し得る。
【００５７】
【図１】本発明の実施形態に係る情報送信方法の模式的なフローチャートである。
【００５８】
【図２】本発明の実施形態に係る時間リソースのシーケンスナンバーの概略図である。
【００５９】
【図３】本発明の実施形態に係る時間リソースの模式的な構造図である。
【００６０】
【図４】本発明の別の実施形態に係る情報送信方法の模式的なフローチャートである。
【００６１】
【図５】本発明の実施形態に係る第１デバイスの模式的な構造図である。
【００６２】
【図６】本発明の実施形態に係る第２デバイスの模式的な構造図である。
【００６３】
【図７】本発明の別の実施形態に係る第１デバイスの模式的な構造図である。
【００６４】
【図８】本発明の別の実施形態に係る第２デバイスの模式的な構造図である。
【００６５】
【図９】本発明の実施形態に係る無線通信システムの模式的な構造図である。
【発明を実施するための形態】
【００６６】
以下では、本発明の実施形態における技術的解決手段を、本発明の実施形態の添付図面に関連して明確かつ十分に説明する。明らかに、説明される実施形態は、本発明の実施形態の一部に過ぎず、全てではない。本発明の実施形態に基づいて、当業者によって創造的努力なく取得される全ての他の実施形態は、本発明の保護範囲内に含まれるものとする。
【００６７】
本発明の実施形態の技術的解決手段は、グローバルシステム・フォー・モバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ，ＧＳＭ（登録商標））、符号分割多元接続（Ｃｏｄｅ  Ｄｉｖｉｓｉｏｎ  Ｍｕｌｔｉｐｌｅ  Ａｃｃｅｓｓ，ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ，ＧＰＲＳ）、ロングタームエボリューション（Ｌｏｎｇ  Ｔｅｒｍ  Ｅｖｏｌｕｔｉｏｎ，ＬＴＥ）システム、ＬＴＥ周波数分割デュプレックス（Ｆｒｅｑｕｅｎｃｙ  Ｄｉｖｉｓｉｏｎ  Ｄｕｐｌｅｘ，ＦＤＤ）システム、ＬＴＥ時分割デュプレックス（Ｔｉｍｅ  Ｄｉｖｉｓｉｏｎ  Ｄｕｐｌｅｘ，ＴＤＤ）システム、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ，ＵＭＴＳ）、ワールドワイド・インターオペラビリティ・フォー・マイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ，  ＷｉＭＡＸ）通信システムなどの様々な通信システムに適用され得ることが、理解されるべきである。
【００６８】
本発明の実施形態において、ユーザ機器（英語全表記：Ｕｓｅｒ  Ｅｑｕｉｐｍｅｎｔ、略してＵＥ）は、移動局（英語全表記：Ｍｏｂｉｌｅ  Ｓｔａｔｉｏｎ、略してＭＳ）、移動端末（Ｍｏｂｉｌｅ  Ｔｅｒｍｉｎａｌ）、携帯電話（Ｍｏｂｉｌｅ  Ｔｅｌｅｐｈｏｎｅ）、ハンドセット（ｈａｎｄｓｅｔ）、ポータブル機器（ｐｏｒｔａｂｌｅ  ｅｑｕｉｐｍｅｎｔ）、及び同様のものを含むが、それらに限定されるものではないことが理解されるべきである。ユーザ機器は、無線アクセスネットワーク（英語全表記：Ｒａｄｉｏ  Ａｃｃｅｓｓ  Ｎｅｔｗｏｒｋ、略してＲＡＮ）を用いることによって、１つ又は複数のコアネットワークと通信してよい。例えば、ユーザ機器は、携帯電話（又は「セルラ」電話と称され）、無線通信機能を有するコンピュータ、又は同様のものであってよく、又は、ユーザ機器はさらに、ポータブル、ポケットサイズ、ハンドヘルド、コンピュータビルトイン、又は車載の移動装置であってよい。
【００６９】
本発明の実施形態において、デバイスはさらに、ＧＳＭ（登録商標）又はＣＤＭＡにおける基地局（英語全表記：Ｂａｓｅ  Ｔｒａｎｓｃｅｉｖｅｒ  Ｓｔａｔｉｏｎ、略してＢＴＳ）であってよく、又は、ＷＣＤＭＡ（登録商標）における基地局（ＮｏｄｅＢ）であってよく、又は、ＬＴＥにおける進化型ＮｏｄｅＢ（英語全表記：ｅｖｏｌｖｅｄ  Ｎｏｄｅ  Ｂ、略してｅＮＢ又はｅ−ＮｏｄｅＢ）であってよく、本発明においてこれは限定されるものではない。
【００７０】
本発明の実施形態において、「第１」及び「第２」という用語は単に、区別のために用いられており、本発明の実施形態において限定として用いられるものではないことが理解されるべきである。
【００７１】
本発明の一実施形態が、情報送信方法を提供する。好ましくは、該方法は、ＬＴＥ（Ｌｏｎｇ  Ｔｅｒｍ  Ｅｖｏｌｕｔｉｏｎ、ロングタームエボリューション）システムに適用される。もちろん、方法は、別の無線ネットワークシステムにも適用され得る。図１を参照すると、方法は、以下の段階を備える。
【００７２】
１０１．第１デバイスが、第１スクランブルコードシーケンスに従って、アンライセンスキャリア上の第１時間リソース上で保持されている第１データをスクランブルする。
【００７３】
第１データは、第１デバイスによって第２デバイスに送信されるデータであり、第１スクランブルコードシーケンスは、ライセンスキャリア上の第２時間リソースのシーケンスナンバー、又は第１値に従って、生成される。すなわち、ライセンスキャリア上のシーケンスナンバーは従って、アンライセンスキャリア上のシーケンスナンバーとして機能し得る。アンライセンスキャリア上の時間リソースとライセンスキャリア上の時間リソースとの間の対応関係は、予め設定した規則に従って画定されてよく、本発明においてこれは限定されるものではない。
【００７４】
任意選択的に、第１時間リソースは、フレーム、サブフレーム、又はタイムスロットであってよい。第２時間リソースはまた、フレーム、サブフレーム、又はタイムスロットであってよい。
【００７５】
任意選択的に、第２時間リソースの時間ドメインリソースは、第１時間リソースの時間ドメインリソースを含む。この場合、好ましくは、第２時間リソースの時間ドメインリソースは、第１時間リソースの時間ドメインリソースと同じである。
【００７６】
図２に示されているように、図２において、ライセンスキャリア上のシーケンスナンバーがｎである時間リソースと、アンライセンスキャリア上の第１時間リソースとが、同じ時間ドメインリソースを含み、ｎは、第１時間リソースのシーケンスナンバーとして機能する。ライセンスキャリア上のシーケンスナンバーがｎ＋１である時間リソースと、アンライセンスキャリア上の第２時間リソースとが、同じ時間ドメインリソースを含み、ｎ＋１は、第２時間リソースのシーケンスナンバーとして機能し、等など。
【００７７】
加えて、任意選択的に、第１値は、予め設定した値であってよく、又は、第１デバイスによって決定された値、又は第三者によって決定された値であってよい。第１値は、固定値、又は予め設定したアルゴリズムに従って変動する値であってよい。さらに任意選択的に、第１値が第１デバイスによって決定された値である場合、第１デバイスは、第１値を第２デバイスに送信し、これにより、第２デバイスは、第１スクランブルコードシーケンスを取得し、第１時間リソース上で保持されている第１データをデスクランブルする。好ましくは、第１値は、セル識別（Ｃｅｌｌ  Ｉｄｅｎｔｉｔｙ）であってよく、又は、第１値は、セル識別に従って生成される変数、又は固定値であってよい。もちろん、第１値はまた、予め設定した値であってよく、第２デバイスに送信される必要がない。
【００７８】
任意選択的に、アンライセンススペクトルが占有されているシナリオが適用される。アンライセンススペクトルを占有している場合、第１デバイスは、アンライセンスキャリア上のリソースを用いてデータを送信する。この場合、第１時間リソースが第１サブフレームであることが、説明の例として用いられている。第１サブフレームは、Ｎ個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，直交周波数分割多重方式）シンボルを含む。Ｎ個のＯＦＤＭシンボルが１つの完全なサブフレームに含まれるＭ個のＯＦＤＭシンボルのうち最初のＮ個のＯＦＤＭシンボルである場合、すなわち、第１サブフレームが１つの完全なサブフレームではない場合、１つの完全なサブフレームにおけるＯＦＤＭシンボルは、前方から後方へスケジューリングされる。Ｍ及びＮは正の整数であり、かつ、Ｍ≧Ｎである。好ましくは、Ｍは１２又は１４である。
【００７９】
あるいは、任意選択的に、第１時間リソースは、第１タイムスロットである。第１タイムスロットは、第１サブフレームに属し、第１サブフレームは、Ｎ個のＯＦＤＭシンボルを含む。ＮがＭ／２より大きい場合、第１タイムスロットは、Ｎ個のＯＦＤＭシンボルのうち最初のＮ−Ｍ／２個のＯＦＤＭシンボルを含む。Ｍは１つの完全なサブフレームに含まれるＯＦＤＭシンボルの数である。Ｍ及びＮは正の整数であり、かつ、Ｍ≧Ｎである。１つのサブフレームは２つの時間リソースを含むので、第１サブフレームがＮ個のＯＦＤＭシンボルを含むとき、仮にＭが１４であるとし、Ｎが７より大きい場合、Ｎ個のＯＦＤＭシンボルのうち最初の（Ｎ−７）個のＯＦＤＭシンボルは第１値に対応し、すなわち、Ｎ個のＯＦＤＭシンボルのうち最初の（Ｎ−７）個のＯＦＤＭシンボルは第１時間リソースとして機能し、Ｎ個のＯＦＤＭシンボルのうち後ろの７個のＯＦＤＭシンボルは第２シーケンスナンバーに対応し、すなわち、後ろの７個のＯＦＤＭシンボルは第２時間リソースとして機能し、仮にＭが１２であるとして、Ｎが６より大きい場合、Ｎ個のＯＦＤＭシンボルのうち最初の（Ｎ−６）個のＯＦＤＭシンボルは第１値に対応し、Ｎ個のＯＦＤＭシンボルのうち後ろの６個のＯＦＤＭシンボルは第２シーケンスナンバーに対応する。図３に示されているように、Ｎが１０であってＭが１４であることが、図３において例として用いられている。最初の３つのＯＦＤＭシンボルは、第１時間リソースとして機能し、後ろの７個のＯＦＤＭシンボルは、第２時間リソースとして機能する。
【００８０】
１０２．第１デバイスは、スクランブルされた第１データを第２デバイスに送信する。
【００８１】
任意選択的に、第１デバイスは、基地局であってよく、第２デバイスは、ユーザ機器であってよい。もちろん、ここでの説明は例に過ぎず、これは、本発明がそれに限定されるものであることを表しているわけではない。
【００８２】
本発明のこの実施形態において提供されている情報送信方法において、第１デバイスが、第１スクランブルコードシーケンスに従って、アンライセンスキャリア上の第１時間リソース上で保持されている第１データをスクランブルし、第１データは、第１デバイスによって第２デバイスに送信されるデータであり、第１スクランブルコードシーケンスは、ライセンスキャリア上の第２時間リソースのシーケンスナンバー、又は第１値に従って、生成され、第１デバイスは、スクランブルされた第１データを第２デバイスに送信する。従って、アンライセンススペクトルを占有してデータを送信するとき、受信側は正確なシーケンスナンバーを取得できず、情報をデスクランブルすることができないといった従来技術の問題が解決される。
【００８３】
図１に対応する前述の実施形態に関連して、本発明の別の実施形態は、情報送信方法を提供する。方法は、図１に対応する実施形態における受信側の方法である。図４を参照すると、方法は、以下の段階を備える。
【００８４】
４０１．第２デバイスが、第１デバイスによって送信された、スクランブルされた第１データを受信する。
【００８５】
任意選択的に、第１デバイスは、基地局であってよく、第２デバイスは、ユーザ機器であってよい。もちろん、ここでの説明は例に過ぎず、これは、本発明がそれに限定されるものであることを表しているわけではない。
【００８６】
４０２．第２デバイスは、第１スクランブルコードシーケンスに従って、第１データをデスクランブルする。
【００８７】
第１データは、アンライセンスキャリア上の第１時間リソース上で保持されているものであり、第１スクランブルコードシーケンスは、ライセンスキャリア上の第２時間リソースのシーケンスナンバー、又は第１値に従って、生成される。すなわち、ライセンスキャリア上のシーケンスナンバーは従って、アンライセンスキャリア上のシーケンスナンバーとして機能し得る。アンライセンスキャリア上の時間リソースと、ライセンスキャリア上の時間リソースとの間の対応関係が、予め設定した規則に従って画定されてよく、本発明においてこれは限定されるものではない。
【００８８】
任意選択的に、第１時間リソースは、フレーム、サブフレーム、又はタイムスロットであってよい。第２時間リソースも、フレーム、サブフレーム、又はタイムスロットであってよい。
【００８９】
任意選択的に、第２時間リソースの時間ドメインリソースは、第１時間リソースの時間ドメインリソースを含む。この場合、好ましくは、第２時間リソースの時間ドメインリソースは、第１時間リソースの時間ドメインリソースと同じである。
【００９０】
加えて、任意選択的に、第１値は、予め設定した値であってよく、又は第１デバイスによって決定された値、又は第三者によって決定された値であってよい。第１値は、固定値、又は予め設定したアルゴリズムに従って変動する値であってよい。さらに任意選択的に、第１値が第１デバイスによって決定された値である場合、第２デバイスは、第１デバイスによって送信された第１値を受信し、第１スクランブルコードシーケンスを取得して第１時間リソース上で保持されている第１データをデスクランブルする。好ましくは、第１値は、セル識別（Ｃｅｌｌ  Ｉｄｅｎｔｉｔｙ）であってよく、又は、第１値は、セル識別に従って生成される変数、又は固定値であってよい。もちろん、第１値はまた、予め設定した値であってよく、第２デバイスに送信される必要がない。
【００９１】
任意選択的に、アンライセンススペクトルが占有されているシナリオが適用される。アンライセンススペクトルを占有している場合、第１デバイスは、アンライセンスキャリア上のリソースを用いてデータを送信する。この場合、第１時間リソースが第１サブフレームであることが、説明のための例として用いられる。第１サブフレームは、Ｎ個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，直交周波数分割多重方式）シンボルを含む。Ｎ個のＯＦＤＭシンボルが、１つの完全なサブフレームに含まれるＭ個のＯＦＤＭシンボルのうち最初のＮ個のＯＦＤＭシンボルである場合、すなわち、第１サブフレームが１つの完全なサブフレームではない場合、１つの完全なサブフレームにおけるＯＦＤＭシンボルは、前方から後方へスケジューリングされる。Ｍ及びＮは正の整数であり、かつ、Ｍ≧Ｎである。好ましくは、Ｍは１２又は１４である。
【００９２】
あるいは、任意選択的に、第１時間リソースは、第１タイムスロットである。第１タイムスロットは、第１サブフレームに属し、第１サブフレームは、Ｎ個のＯＦＤＭシンボルを含む。ＮがＭ／２より大きい場合、第１タイムスロットは、Ｎ個のＯＦＤＭシンボルのうち最初のＮ−Ｍ／２個のＯＦＤＭシンボルを含む。Ｍは、１つの完全なサブフレームに含まれるＯＦＤＭシンボルの数である。Ｍ及びＮは正の整数であり、かつ、Ｍ≧Ｎである。１つのサブフレームは２つの時間リソースを含むので、第１サブフレームがＮ個のＯＦＤＭシンボルを含むとき、仮にＭが１４であるとし、Ｎが７より大きい場合、Ｎ個のＯＦＤＭシンボルのうち最初の（Ｎ−７）個のＯＦＤＭシンボルは第１値に対応し、すなわち、Ｎ個のＯＦＤＭシンボルのうち最初の（Ｎ−７）個のＯＦＤＭシンボルは第１時間リソースとして機能し、Ｎ個のＯＦＤＭシンボルのうち後ろの７個のＯＦＤＭシンボルは第２シーケンスナンバーに対応し、すなわち、後ろの７個のＯＦＤＭシンボルは第２時間リソースとして機能し、仮にＭが１２であるとし、Ｎが６より大きい場合、Ｎ個のＯＦＤＭシンボルのうち最初の（Ｎ−６）個のＯＦＤＭシンボルは第１値に対応し、Ｎ個のＯＦＤＭシンボルのうち後ろの６個のＯＦＤＭシンボルは第２シーケンスナンバーに対応する。図３に示されているように、Ｎが１０であってＭが１４であることが、図３において例として用いられている。最初の３つのＯＦＤＭシンボルは、第１時間リソースとして機能し、後ろの７個のＯＦＤＭシンボルは、第２時間リソースとして機能する。
【００９３】
本発明のこの実施形態において提供される情報送信方法において、第２デバイスが、第１デバイスによって送信された、スクランブルされた第１データを受信し、第２デバイスは、第１スクランブルコードシーケンスに従って、第１データをデスクランブルする。第１データは、アンライセンスキャリア上の第１時間リソース上で保持されているものであり、第１スクランブルコードシーケンスは、ライセンスキャリア上の第２時間リソースのシーケンスナンバー、又は第１値に従って、生成される。従って、アンライセンススペクトルを占有してデータを送信するとき、受信側は、正確なシーケンスナンバーを取得できず、情報をデスクランブルすることができないといった従来技術の問題が解決される。
【００９４】
図１に対応する前述の実施形態に基づき、本発明の一実施形態は、図１に対応する前述の実施形態において説明されている情報送信方法を実行するよう構成される第１デバイスを提供する。図５を参照すると、第１デバイス５０は、スクランブル部５０１及び送信部５０２を含む。
【００９５】
スクランブル部５０１は、第１スクランブルコードシーケンスに従って、アンライセンスキャリア上の第１時間リソース上で保持されている第１データをスクランブルするよう構成され、第１データは、第１デバイスによって第２デバイスに送信されるデータであり、第１スクランブルコードシーケンスは、ライセンスキャリア上の第２時間リソースのシーケンスナンバー、又は第１値に従って、生成される。
【００９６】
送信部５０２は、スクランブル部５０１によってスクランブルされた第１データを、第２デバイスに送信するよう構成される。
【００９７】
任意選択的に、第２時間リソースの時間ドメインリソースは、第１時間リソースの時間ドメインリソースを含む。さらに任意選択的に、第２時間リソースの時間ドメインリソースは、第１時間リソースの時間ドメインリソースと同じである。
【００９８】
任意選択的に、第１値は、予め設定した値、第１デバイスによって決定された値、又は第三者によって決定された値である。
【００９９】
さらに任意選択的に、第１値が第１デバイスによって決定された値である場合、送信部５０２は、第１値を第２デバイスに送信するようさらに構成される。
【０１００】
任意選択的に、第１時間リソースは、フレーム、サブフレーム、又はタイムスロットであってよく、第２時間リソースも、フレーム、サブフレーム、又はタイムスロットであってよい。
【０１０１】
任意選択的に、適用シナリオにおいて、第１時間リソースは第１サブフレームである。第１サブフレームは、Ｎ個の直交周波数分割多重方式（ＯＦＤＭ）シンボルを含み、Ｎ個のＯＦＤＭシンボルは、１つの完全なサブフレームに含まれるＭ個のＯＦＤＭシンボルのうち最初のＮ個のＯＦＤＭシンボルである。Ｍ及びＮは正の整数であり、かつ、Ｍ≧Ｎである。
【０１０２】
あるいは、任意選択的に、別の適用シナリオにおいて、第１時間リソースは、第１タイムスロットである。第１タイムスロットは、第１サブフレームに属し、第１サブフレームは、Ｎ個のＯＦＤＭシンボルを含む。ＮがＭ／２より大きい場合、第１タイムスロットは、Ｎ個のＯＦＤＭシンボルのうち最初のＮ−Ｍ／２個のＯＦＤＭシンボルを含む。Ｍは、１つの完全なサブフレームに含まれるＯＦＤＭシンボルの数である。Ｍ及びＮは正の整数であり、かつ、Ｍ≧Ｎである。
【０１０３】
本発明のこの実施形態において提供されている第１デバイスは、第１スクランブルコードシーケンスに従って、アンライセンスキャリア上の第１時間リソース上で保持されている第１データをスクランブルし、第１データは、第１デバイスによって第２デバイスに送信されるデータであり、第１スクランブルコードシーケンスは、ライセンスキャリア上の第２時間リソースのシーケンスナンバー、又は第１値に従って、生成され、第１デバイスは、スクランブルされた第１データを第２デバイスに送信する。従って、アンライセンススペクトルを占有してデータを送信するとき、受信側は、正確なシーケンスナンバーを取得できず、情報をデスクランブルすることができないといった従来技術の問題が解決される。
【０１０４】
図４に対応する前述の実施形態に基づき、本発明の一実施形態は、図４に対応する前述の実施形態において説明されている情報送信方法を実行するよう構成される第２デバイスを提供する。図６を参照すると、第２デバイス６０は、デスクランブル部６０１及び受信部６０２を含む。
【０１０５】
受信部６０２は、第１デバイスによって送信された、スクランブルされた第１データを受信するよう構成される。
【０１０６】
デスクランブル部６０１は、第１スクランブルコードシーケンスに従って、受信部６０２によって受信された第１データをデスクランブルするよう構成され、第１データは、アンライセンスキャリア上の第１時間リソース上で保持されているものであり、第１スクランブルコードシーケンスは、ライセンスキャリア上の第２時間リソースのシーケンスナンバー、又は第１値に従って、生成される。
【０１０７】
任意選択的に、第２時間リソースの時間ドメインリソースは、第１時間リソースの時間ドメインリソースを含む。さらに任意選択的に、第２時間リソースの時間ドメインリソースは、第１時間リソースの時間ドメインリソース同じである。
【０１０８】
任意選択的に、第１値は、予め設定した値、第１デバイスによって決定された値、又は第三者によって決定された値である。
【０１０９】
さらに任意選択的に、第１値が第１デバイスによって決定された値である場合、受信部６０２は、第１デバイスによって送信された第１値を受信するようさらに構成される。
【０１１０】
任意選択的に、第１時間リソースは、フレーム、サブフレーム、又はタイムスロットであってよく、第２時間リソースも、フレーム、サブフレーム、又はタイムスロットであってよい。
【０１１１】
任意選択的に、適用シナリオにおいて、第１時間リソースは、第１サブフレームである。第１サブフレームは、Ｎ個の直交周波数分割多重方式（ＯＦＤＭ）シンボルを含み、Ｎ個のＯＦＤＭシンボルは、１つの完全なサブフレームに含まれるＭ個のＯＦＤＭシンボルのうち最初のＮ個のＯＦＤＭシンボルである。Ｍ及びＮは正の整数であり、かつ、Ｍ≧Ｎである。
【０１１２】
あるいは、任意選択的に、別の適用シナリオにおいて、第１時間リソースは、第１タイムスロットである。第１タイムスロットは、第１サブフレームに属し、第１サブフレームは、Ｎ個のＯＦＤＭシンボルを含む。ＮがＭ／２より大きい場合、第１タイムスロットは、Ｎ個のＯＦＤＭシンボルのうち最初のＮ−Ｍ／２個のＯＦＤＭシンボルを含む。Ｍは、１つの完全なサブフレームに含まれるＯＦＤＭシンボルの数である。Ｍ及びＮは正の整数であり、かつ、Ｍ≧Ｎである。
【０１１３】
本発明のこの実施形態において提供されている第２デバイスは、第１デバイスによって送信された、スクランブルされた第１データを受信し、第２デバイスは、第１スクランブルコードシーケンスに従って、第１データをデスクランブルする。第１データは、アンライセンスキャリア上の第１時間リソース上で保持されているものであり、第１スクランブルコードシーケンスは、ライセンスキャリア上の第２時間リソースのシーケンスナンバー、又は第１値に従って、生成される。従って、アンライセンススペクトルを占有してデータを送信するとき、受信側は、正確なシーケンスナンバーを取得できず、情報をデスクランブルすることができないといった従来技術の問題が解決される。
【０１１４】
図１に対応する前述の実施形態に基づき、本発明の別の実施形態は、図１に対応する前述の実施形態において説明されている情報送信方法を実行するよう構成される第１デバイスを提供する。図７を参照すると、第１デバイス７０は、少なくとも１つのプロセッサ７０１と、メモリ７０２と、バス７０３と、送信機７０４とを含む。少なくとも１つのプロセッサ７０１、メモリ７０２、及び送信機７０４は、バス７０３を用いることによって、互いに接続され、互いと通信する。
【０１１５】
バス７０３は、ＩＳＡ（ＩｎｄｕｓｔｒｙＳｔａｎｄａｒｄ  Ａｒｃｈｉｔｅｃｔｕｒｅ，業界標準アーキテクチャ）バス、ＰＣＩ（Ｐｅｒｉｐｈｅｒａｌ  Ｃｏｍｐｏｎｅｎｔ  Ｉｎｔｅｒｃｏｎｎｅｃｔ，周辺構成要素相互接続）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ，拡張型業界標準アーキテクチャ）バス、又は同様のものであってよい。バス７０３は、アドレスバス、データバス、制御バス、及び同様のものに分類されてよい。例示の簡易さのために、図７において、バスを表すために１本の太線のみが用いられている。しかしながら、これは、１つのバスのみ、又は一種類のバスのみが存在することを意味するものではない。
【０１１６】
メモリ７０２は、本発明の解決手段を実行するアプリケーションプログラムコードを格納するよう構成される。本発明の解決手段を実行するアプリケーションプログラムコードは、メモリに保存され、これらの実行は、プロセッサ７０１によって制御される。
【０１１７】
メモリは、リードオンリメモリ（ＲＯＭ）、又はスタティックな情報及び命令を格納し得る別の種類のスタティック記憶機器、又はランダムアクセスメモリ（ＲＡＭ）又は情報及び命令を格納し得る別の種類のダイナミック記憶機器であってよく、又は、電気的消去可能プログラマブル・リードオンリメモリ（ＥＥＰＲＯＭ）、コンパクトディスク・リードオンリメモリ（ＣＤ−ＲＯＭ）又は他のコンパクトディスク記憶装置、光ディスク記憶装置（コンパクトディスク、レーザディスク、光ディスク、デジタル多用途ディスク、ブルーレイディスク、及び同様のものを含み）、ディスク記憶媒体又は別の磁気記憶デバイス、又は予期されるプログラムコードを命令又はデータ構造形態に保持又は格納するために用いられることができ、コンピュータによってアクセスされることができる任意の他の媒体であってよい。しかしながら、本明細書においてこれは限定されるものではない。メモリは、バスを用いることによって、プロセッサに接続される。
【０１１８】
プロセッサ７０１は、中央演算処理装置７０１（Ｃｅｎｔｒａｌ  Ｐｒｏｃｅｓｓｉｎｇ  Ｕｎｉｔ，略してＣＰＵ）、又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，略してＡＳＩＣ）、又は本発明のこの実施形態を実装するよう構成される１つ又は複数の集積回路であってよい。
【０１１９】
プロセッサ７０１は、メモリ７０２におけるプログラムコードを呼び出すよう構成される。可能な実施例において、前述のアプリケーションプログラムがプロセッサ７０１によって実行される場合、以下の機能が実現される。
【０１２０】
プロセッサ７０１は、第１スクランブルコードシーケンスに従って、アンライセンスキャリア上の第１時間リソース上で保持されている第１データをスクランブルするよう構成され、第１データは、第１デバイスによって、第２デバイスに送信されるデータであり、第１スクランブルコードシーケンスは、ライセンスキャリア上の第２時間リソースのシーケンスナンバー、又は第１値に従って、生成される。
【０１２１】
送信機７０４は、プロセッサ７０１によってスクランブルされた第１データを、第２デバイスに送信するよう構成される。
【０１２２】
任意選択的に、第２時間リソースの時間ドメインリソースは、第１時間リソースの時間ドメインリソースを含む。さらに任意選択的に、第２時間リソースの時間ドメインリソースは、第１時間リソースの時間ドメインリソースと同じである。
【０１２３】
任意選択的に、第１値は、予め設定した値、第１デバイスによって決定された値、又は第三者によって決定された値である。
【０１２４】
さらに任意選択的に、第１値が第１デバイスによって決定された値である場合、送信機７０４は、第１値を第２デバイスに送信するようさらに構成される。
【０１２５】
任意選択的に、第１時間リソースは、フレーム、サブフレーム、又はタイムスロットであってよく、第２時間リソースも、フレーム、サブフレーム、又はタイムスロットであってよい。
【０１２６】
任意選択的に、適用シナリオにおいて、第１時間リソースは、第１サブフレームである。第１サブフレームは、Ｎ個の直交周波数分割多重方式（ＯＦＤＭ）シンボルを含み、Ｎ個のＯＦＤＭシンボルは、１つの完全なサブフレームに含まれるＭ個のＯＦＤＭシンボルのうち最初のＮ個のＯＦＤＭシンボルである。Ｍ及びＮは正の整数であり、かつ、Ｍ≧Ｎである。
【０１２７】
あるいは、任意選択的に、別の適用シナリオにおいて、第１時間リソースは第１タイムスロットである。第１タイムスロットは、第１サブフレームに属し、第１サブフレームは、Ｎ個のＯＦＤＭシンボルを含む。ＮがＭ／２より大きい場合、第１タイムスロットは、Ｎ個のＯＦＤＭシンボルのうち最初のＮ−Ｍ／２個のＯＦＤＭシンボルを含む。Ｍは、１つの完全なサブフレームに含まれるＯＦＤＭシンボルの数である。Ｍ及びＮは正の整数であり、かつ、Ｍ≧Ｎである。
【０１２８】
本発明のこの実施形態において提供されている第１デバイスは、第１スクランブルコードシーケンスに従って、アンライセンスキャリア上の第１時間リソース上で保持されている第１データをスクランブルし、第１データは、第１デバイスによって第２デバイスに送信されるデータであり、第１スクランブルコードシーケンスは、ライセンスキャリア上の第２時間リソースのシーケンスナンバー、又は第１値に従って、生成され、第１デバイスは、スクランブルされた第１データを第２デバイスに送信する。従って、アンライセンススペクトルを占有してデータを送信するとき、受信側は、正確なシーケンスナンバーを取得できず、情報をデスクランブルすることができないといった従来技術の問題が解決される。
【０１２９】
図４に対応する前述の実施形態に基づき、本発明の一実施形態は、図４に対応する前述の実施形態において説明されている情報送信方法を実行するよう構成される第２デバイスを提供する。図８を参照すると、第２デバイス８０は、少なくとも１つのプロセッサ８０１と、メモリ８０２と、バス８０３と、受信機８０４とを含む。少なくとも１つのプロセッサ８０１、メモリ８０２、及び受信機８０４は、バス８０３を用いることによって、互いに接続され通信する。
【０１３０】
バス８０３は、ＩＳＡ（Ｉｎｄｕｓｔｒｙ  Ｓｔａｎｄａｒｄ  Ａｒｃｈｉｔｅｃｔｕｒｅ、業界標準アーキテクチャ）バス、ＰＣＩ（Ｐｅｒｉｐｈｅｒａｌ  Ｃｏｍｐｏｎｅｎｔ  Ｉｎｔｅｒｃｏｎｎｅｃｔ、周辺構成要素相互接続）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ、拡張型業界標準アーキテクチャ）バス、又は同様のものであってよい。バス８０３は、アドレスバス、データバス、制御バス、及び同様のものに分類され得る。例示の簡易さのために、図８において、バスを表すために１本の太線のみが用いられている。しかしながら、これは、１つのバスのみ又は一種類のバスのみが存在することを意味するものではない。
【０１３１】
メモリ８０２は、本発明の解決手段を実行するアプリケーションプログラムコードを格納するよう構成される。本発明の解決手段を実行するアプリケーションプログラムコードは、メモリに保存され、その実行は、プロセッサ８０１によって制御される。
【０１３２】
メモリは、リードオンリメモリ（ＲＯＭ）又はスタティックな情報及び命令を格納し得る別の種類のスタティック記憶機器、又はランダムアクセスメモリ（ＲＡＭ）又は情報及び命令を格納し得る別の種類のダイナミック記憶機器であってよく、又は、電気的消去可能プログラマブル・リードオンリメモリ（ＥＥＰＲＯＭ）、コンパクトディスク・リードオンリメモリ（ＣＤ−ＲＯＭ）、又は他のコンパクトディスク記憶装置、光ディスク記憶装置（コンパクトディスク、レーザディスク、光ディスク、デジタル多用途ディスク、ブルーレイディスク、及び同様のものを含み）、ディスク記憶媒体又は別の磁気記憶デバイス、又は予期されるプログラムコードを命令又はデータ構造形態に保持又は格納するために用いられることができ、コンピュータによってアクセスされることができる任意の他の媒体であってよい。しかしながら、本明細書においてこれは限定されるものではない。メモリは、バスを用いることによって、プロセッサに接続される。
【０１３３】
プロセッサ８０１は、中央演算処理装置８０１（Ｃｅｎｔｒａｌ  Ｐｒｏｃｅｓｓｉｎｇ  Ｕｎｉｔ、略してＣＰＵ）、又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）、又は本発明のこの実施形態を実装するよう構成される１つ又は複数の集積回路であってよい。
【０１３４】
プロセッサ８０１は、メモリ８０２におけるプログラムコードを呼び出すよう構成される。可能な実施例において、前述のアプリケーションプログラムがプロセッサ８０１によって実行されるとき、以下の機能が実現される。
【０１３５】
受信機８０４は、第１デバイスによって送信された、スクランブルされた第１データを受信するよう構成される。
【０１３６】
プロセッサ８０１は、第１スクランブルコードシーケンスに従って、受信機８０４によって受信された第１データをデスクランブルするよう構成され、第１データは、アンライセンスキャリア上の第１時間リソース上で保持されているものであり、第１スクランブルコードシーケンスは、ライセンスキャリア上の第２時間リソースのシーケンスナンバー、又は第１値に従って、生成される。
【０１３７】
任意選択的に、第２時間リソースの時間ドメインリソースは、第１時間リソースの時間ドメインリソースを含む。さらに任意選択的に、第２時間リソースの時間ドメインリソースは、第１時間リソースの時間ドメインリソースと同じである。
【０１３８】
任意選択的に、第１値は、予め設定した値、第１デバイスによって決定された値、又は第三者によって決定された値である。
【０１３９】
さらに任意選択的に、第１値が第１デバイスによって決定された値である場合、受信機８０４は、第１デバイスによって送信された第１値を受信するようさらに構成される。
【０１４０】
任意選択的に、第１時間リソースは、フレーム、サブフレーム、又はタイムスロットであってよく、第２時間リソースも、フレーム、サブフレーム、又はタイムスロットであってよい。
【０１４１】
任意選択的に、適用シナリオにおいて、第１時間リソースは、第１サブフレームである。第１サブフレームは、Ｎ個の直交周波数分割多重方式（ＯＦＤＭ）シンボルを含み、Ｎ個のＯＦＤＭシンボルは、１つの完全なサブフレームに含まれるＭ個のＯＦＤＭシンボルのうち最初のＮ個のＯＦＤＭシンボルである。Ｍ及びＮは正の整数であり、かつ、Ｍ≧Ｎである。
【０１４２】
あるいは、任意選択的に、別の適用シナリオにおいて、第１時間リソースは、第１タイムスロットである。第１タイムスロットは、第１サブフレームに属し、第１サブフレームは、Ｎ個のＯＦＤＭシンボルを含む。ＮがＭ／２より大きい場合、第１タイムスロットは、Ｎ個のＯＦＤＭシンボルのうち最初のＮ−Ｍ／２個のＯＦＤＭシンボルを含む。Ｍは、１つの完全なサブフレームに含まれるＯＦＤＭシンボルの数である。Ｍ及びＮは正の整数であり、Ｍ≧Ｎである。
【０１４３】
本発明のこの実施形態において提供されている第２デバイスは、第１デバイスによって送信された、スクランブルされた第１データを受信し、第２デバイスは、第１スクランブルコードシーケンスに従って、第１データをデスクランブルする。第１データは、アンライセンスキャリア上の第１時間リソース上で保持されているものであり、第１スクランブルコードシーケンスは、ライセンスキャリア上の第２時間リソースのシーケンスナンバー、又は第１値に従って、生成される。従って、アンライセンススペクトルを占有してデータを送信するとき、受信側は、正確なシーケンスナンバーを取得できず、情報をデスクランブルすることができないといった従来技術の問題が解決される。
【０１４４】
図１から図４に対応する前述の実施形態に基づき、本発明の実施形態は、図１から図４に対応する前述の実施形態において説明されている情報送信方法を実行するよう構成される無線通信システムを提供する。図９を参照すると、無線通信システム９０は、第１デバイス９０１及び第２デバイス９０２を備える。
【０１４５】
第１デバイス９０１は、図５に対応する実施形態において説明されている第１デバイスであり、第２デバイス９０２は、図６に対応する実施形態において説明されている第２デバイスである。
【０１４６】
あるいは、第１デバイス９０１は、図７に対応する実施形態において説明されている第１デバイスであり、第２デバイス９０２は、図８に対応する実施形態において説明されている第２デバイスである。
【０１４７】
本発明のこの実施形態において提供されている無線通信システムにおいて、アンライセンスキャリア上の第１時間リソース上で保持されている第１データが、第１スクランブルコードシーケンスに従って、スクランブルされ、第１データは、第１デバイスによって第２デバイスへ送信されるデータであり、第１スクランブルコードシーケンスは、ライセンスキャリア上の第２時間リソースのシーケンスナンバー、又は第１値に従って、生成され、第１デバイスは、スクランブルされた第１データを第２デバイスに送信する。従って、アンライセンススペクトルを占有してデータを送信するとき、受信側は、正確なシーケンスナンバーを取得できず、情報をデスクランブルすることができないといった従来技術の問題が解決される。
【０１４８】
加えて、コンピュータ可読命令を含むコンピュータ可読媒体（又は媒質）がさらに提供され、コンピュータ可読命令は、媒体が実行されたとき、以下の動作を実行し、つまり、前述の実施形態の方法における段階１０１及び１０２又は段階４０１及び４０２の動作を実行する。
【０１４９】
加えて、前述のコンピュータ可読媒体を含むコンピュータプログラム製品がさらに提供される。
【０１５０】
本明細書において言及されている情報及び命令は、指示、情報、信号、メッセージ、又は同様のものを含むが、それらに限定されず、本明細書において限定されるものではないことに留意すべきである。
【０１５１】
本明細書における「及び／又は」という用語は、関連対象物を説明するための関連関係のみを説明し、３つの関係が存在し得ることを表す。例えば、Ａ及び／又はＢは、以下の３つの場合、つまり、Ａのみが存在すること、Ａ及びＢの両方が存在すること、及びＢのみが存在することを表し得る。さらに、本明細書における「／」という記号は概して、関連対象物間で「又は」の関係を示す。
【０１５２】
前述の処理のシーケンスナンバーは、本発明の様々な実施形態における実行順序を意味するものではないことが理解されるべきである。処理の実行順序は、処理の機能及び内部論理に従って決定されるべきであり、本発明の実施形態の実装処理上のいかなる制限として解釈されるべきではない。
【０１５３】
本明細書に開示されている実施形態において説明されている例と組み合わせて、ユニット及びアルゴリズムの段階が、電子ハードウェア又はコンピュータ、ソフトウェア、及び電子ハードウェアの組み合わせによって実装され得ることについて、当業者であれば、認識するであろう。機能がハードウェアによって又はソフトウェアによって実行されるかは、技術的解決手段の特定の用途及び設計制約条件に依存する。当業者は、特定の用途ごとに説明されている機能を実装するよう異なる方法を使用してよいが、その実装は、本発明の範囲を越えるものとみなされるべきではない。
【０１５４】
説明の簡便さ及び簡潔さの目的のために、前述のシステム、装置、及びユニットの詳細な作動プロセスについて、前述の方法の実施形態において対応するプロセスが参照されてよいことは、当業者であれば明確に理解され得て、その詳細は本明細書において説明されない。
【０１５５】
本出願に提供されているいくつかの実施形態において、開示されているシステム、装置、及び方法は、他の方式において実装され得ることは理解されるべきである。例えば、説明されている装置の実施形態は単に例である。例えば、ユニットの分割は単に、論理機能の分割であり、実際の実装において他の分割であってよい。例えば、複数のユニット又は構成要素が組み合わせされ又は別のシステム内に統合されてよく、又はいくつかの特徴が無視され又は実行されなくてよい。さらに、表示され又は議論されている相互結合又は直接結合若しくは通信接続は、いくつかのインターフェースを用いることによって実装され得る。装置又はユニット間の間接結合又は通信接続は、電子、機械、又は他の形態で実装され得る。
【０１５６】
別個の部分として説明されているユニットは、物理的に別個のものであってよく、そうでなくてもよく、ユニットとして表示されている部分は、物理的なユニットであっても、そうでなくてもよく、１つの位置に配置されてよく、又は複数のネットワークユニット上に分散されてよい。いくつかの又は全てのユニットは、実施形態の解決手段の目的を達成するために、実際の必要性に従って選択されてよい。
【０１５７】
さらに、本発明の実施形態における機能ユニットは、１つの処理ユニット内に統合されてよく、又は、それぞれのユニットは、物理的に単独で存在してよく、又は、２つ又はそれより多くのユニットは、１つのユニット内に統合される。
【０１５８】
機能がソフトウェア機能ユニットの形態で実装され、独立した製品として販売され又は用いられる場合、該機能は、コンピュータ可読記憶媒体に格納され得る。そのような理解に基づき、本発明の技術的解決手段は本質的に、又は従来技術に寄与する部分、又は技術的解決手段のいくつかは、ソフトウェア製品の形態で実装され得る。ソフトウェア製品は、記憶媒体において格納され、（パーソナルコンピュータ、サーバ、又はネットワークデバイスであり得る）コンピュータデバイスを命令するためのいくつかの命令を含み、本発明の実施形態において説明されている方法の段階の全て又はいくつかを実行する。前述の記憶媒体は、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又は光ディスクなどのプログラムコードを格納することができる任意の媒体を含む。
【０１５９】
前述の実施形態の説明によって、本発明は、ハードウェア、ファームウェア、又はこれらの組み合わせによって実装され得ることは、当業者であれば、明確に理解するであろう。本発明がソフトウェアによって実装される場合、前述の機能は、コンピュータ可読媒体に格納されてよく、又は、コンピュータ可読媒体内の１つ又は複数の命令又はコードとして送信されてよい。コンピュータ可読媒体は、コンピュータ記憶媒体及び通信媒体を含み、通信媒体は、コンピュータプログラムが１つの場所から別の場所へ送信されることを可能にする任意の媒体を含む。記憶媒体は、コンピュータにアクセス可能な任意の入手可能な媒体であってよい。以下は例として用いられるが、限定されるものではない。コンピュータ可読媒体は、ＲＡＭ（Ｒａｎｄｏｍ  Ａｃｃｅｓｓ  Ｍｅｍｏｒｙ、ランダムアクセスメモリ）、ＲＯＭ（Ｒｅａｄ−Ｏｎｌｙ  Ｍｅｍｏｒｙ、リードオンリメモリ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、電気的消去可能プログラマブル・リードオンリメモリ）、ＣＤ−ＲＯＭ（Ｃｏｍｐａｃｔ  Ｄｉｓｃ  Ｒｅａｄ−Ｏｎｌｙ  Ｍｅｍｏｒｙ、コンパクトディスク・リードオンリメモリ）又は他の光ディスク記憶装置、ディスク記憶媒体又は他のディスク記憶装置、又は、予期されるプログラムコードを命令又はデータ構造形態に保持又は格納するために用いられることができ、コンピュータによってアクセスされることができる任意の他の媒体を含み得る。さらに、任意の接続が、コンピュータ可読媒体として適切に画定されてよい。例えば、ソフトウェアが、同軸ケーブル、光ファイバ／ケーブル、ツイストペア、ＤＳＬ（Ｄｉｇｉｔａｌ  Ｓｕｂｓｃｒｉｂｅｒ  Ｌｉｎｅ、デジタル加入者線）、又は赤外線、無線及びマイクロ波などの無線技術を用いることによって、ウェブサイト、サーバ又は別のリモートソースから送信される場合、その同軸ケーブル、光ファイバ／ケーブル、ツイストペア、ＤＳＬ、又は赤外線、無線及びマイクロ波などの無線技術は、それらが属する媒質の定着に含まれる。例えば、本発明に用いられるディスク（ｄｉｓｋ）及びディスク（ｄｉｓｃ）は、ＣＤ（Ｃｏｍｐａｃｔ  Ｄｉｓｃ、コンパクトディスク）、レーザディスク、光ディスク、ＤＶＤディスク（Ｄｉｇｉｔａｌ  Ｖｅｒｓａｔｉｌｅ  Ｄｉｓｃ、デジタル多用途ディスク）、フロッピ（登録商標）ディスク及びブルーレイディスクを含み、ディスク（ｄｉｓｋ）は概して、磁気手段によってデータをコピーし、ディスク（ｄｉｓｃ）は、レーザ手段によってデータを光学的にコピーする。前述の組み合わせも、コンピュータ可読媒体の保護範囲に含まれるべきである。
【０１６０】
前述の説明は単に本発明の具体的な実施例であり、本発明の保護範囲を制限することを意図されるものではない。本発明において開示される技術的範囲内の、当業者によって容易に想到される任意の変形例又は代替例は、本発明の保護範囲内に含まれるものとする。従って、本発明の保護範囲は、特許請求の範囲の保護範囲に従うものとする。
【図１】
0006567061.tif 000002
【図２】
0006567061.tif 000003
【図３】
0006567061.tif 000004
【図４】
0006567061.tif 000005
【図５】
0006567061.tif 000006
【図６】
0006567061.tif 000007
【図７】
0006567061.tif 000008
【図８】
0006567061.tif 000009
【図９】
0006567061.tif 000010